(57)【要約】【課題】広告データのファイリング処理の複数形式の放送形態への変換を自動化することにより、１つのＣＭバンクシステムで複数の放送形態に容易に対応することができる広告データ変換管理装置、広告データ変換管理方法を提供する。【解決手段】放送時の条件情報である属性データが付加された広告データを広告データ変換管理装置２０が受信、記憶し、記憶された広告データが読み出され、この広告データに付加されている属性データに基づいて広告データが所定の形式に変換され、変換された広告データを放送する。【選択図】    図１
2005064621.tif 000002
【特許請求の範囲】
【請求項１】
広告データを受信して所定の形式に変換して放送する広告データ変換管理装置であって、
放送時の条件情報である属性データが付加された広告データを受信する広告データ受信手段と、
受信した広告データを記憶する広告データ記憶手段と、
前記広告データ記憶手段によって記憶された広告データを読み出し、この広告データに付加されている属性データに基づいて当該広告データを所定の形式に変換する変換手段と、
前記変換手段によって変換された広告データを放送する放送手段と、
を備えたことを特徴とする広告データ変換管理装置。
【請求項２】
請求項１に記載の広告データ変換管理装置において、
広告データの変換規則情報を記憶する変換情報記憶手段をさらに備え、前記変換手段によって広告データを変換する場合は、前記変換情報記憶手段に記憶されている変換規則情報を読み出し、この変換規則情報に基づいて前記広告データの属性情報に応じた形式に変換を行うことを特徴とする広告データ変換管理装置。
【請求項３】
前記放送手段によって放送された広告データの履歴情報を記憶する履歴記憶手段と、
前記履歴記憶手段によって記憶された前記広告データの履歴情報と、前記変換手段によって変換される前の前記広告データに付加されている属性情報とを比較して、放送された広告データが、前記属性情報に従って放送されたか否かを判別する判別手段と、
を備えたことを特徴とする請求項１または２に記載の広告データ変換管理装置。
【請求項４】
広告データを受信して所定の形式に変換して放送する広告データ変換管理方法であって、
放送時の条件情報である属性データが付加された広告データを受信する広告データ受信ステップと、
前記受信ステップによって受信した広告データを記憶する広告データ記憶ステップと、
前記広告データ記憶ステップによって記憶された広告データを読み出し、この広告データに付加されている属性データに基づいて当該広告データを所定の形式に変換する変換ステップと、
前記変換ステップによって変換された広告データを放送する放送ステップと、を有することを特徴とする広告データ変換管理方法。
【請求項５】
請求項４に記載の広告データ変換管理方法において、
広告データの変換規則情報を記憶する変換情報記憶ステップをさらに備え、前記変換ステップによって広告データを変換する場合は、前記変換情報記憶ステップに記憶されている変換規則情報を読み出し、この変換規則情報に基づいて前記広告データの属性情報に応じた形式に変換を行うことを特徴とする広告データ変換管理方法。
【請求項６】
前記放送ステップによって放送された広告データの履歴情報を記憶する履歴記憶ステップと、
前記履歴記憶ステップによって記憶された前記広告データの履歴情報と、前記変換ステップによって変換される前の前記広告データに付加されている属性情報とを比較して、放送された広告データが、前記属性情報に従って放送されたか否かを判別する判別ステップと、
を有することを特徴とする請求項４または５に記載の広告データ変換管理方法。
【発明の詳細な説明】
【０００１】
【発明の属する技術分野】
この発明は、受信した広告データを所定の形式に変換して放送する広告データ変換管理装置、広告データ変換管理方法に関する。
【０００２】
【従来の技術】
放送等に用いられるＣＭ等の広告データは、放送局と広告会社との契約に基づき、広告会社から営放システムに搬入される。また、広告データとは別に、広告データの契約番号、放送枠日付情報等の情報が、複数の広告データ分まとめて、営放システムにオンラインで送信される。営放システムでは、受信したこれらの情報のファイリング処理を行い、ＣＭバンクシステムに記憶する。このファイリング処理は、放送の形態によってそれぞれ行う必要がある。例えば、アナログ放送用の形式、デジタル放送のＨＤ形式、デジタル放送のＳＤ形式、デジタル放送の１セグ携帯端末用の形式等であり、ＣＭバンクシステムも形式の数だけ必要である。また、このファイリング処理は、人間が直接モニターで確認することで作業が行われる。ファイリング処理が施された広告データは、ＣＭバンクシステムから、アナログ、またはデジタル用のそれぞれの送出所から放送される。
【０００３】
【発明が解決しようとする課題】
ところが、このような構成では、ファイリング処理を人間が手作業で行うため、処理に膨大に時間が係り、作業が繁雑となる。また、ＣＭバンクシステムも送信形式の数だけ必要になり、設備も高価なものが必要となる。
【０００４】
この発明は上記事情に着目してなされたもので、その目的とするところは、ファイリング処理の複数形式の放送形態への変換を自動化することにより、１つのＣＭバンクシステムで複数の放送形態に容易に対応することができる広告データ変換管理装置、広告データ変換管理方法を提供することにある。
【０００５】
【課題を解決するための手段】
上記目的を達成するためにこの発明は、広告データを受信して所定の形式に変換して放送する広告データ変換管理装置であって、放送時の条件情報である属性データが付加された広告データを受信する広告データ受信手段と、受信した広告データを記憶する広告データ記憶手段と、前記広告データ記憶手段によって記憶された広告データを読み出し、この広告データに付加されている属性データに基づいて当該広告データを所定の形式に変換する変換手段と、前記変換手段によって変換された広告データを放送する放送手段とを備えたものである。
【０００６】
したがってこの発明によれば、放送時の条件情報である属性データが付加された広告データが受信され、受信された広告データが記憶される。そして、記憶された広告データが読み出され、この広告データに付加されている属性データに基づいて当該広告データが所定の形式に変換され、変換された広告データが放送される。このため、ファイリング処理の複数形式の放送形態への変換を自動化することにより、１つのＣＭバンクシステムで複数の放送形態に容易に対応することができる。
【０００７】
【発明の実施の形態】
（第１の実施形態）
図１は、この発明に係わる広告データ変換管理方法を適用した広告データ変換管理システムの一実施の形態を示す系統構成図である。
【０００８】
広告データ変換管理システムは、広告（ＣＭ）データ、この広告データ自身の属性情報、および広告データの放送時の属性情報等を提供する広告会社１２と、この広告会社１２から受信した放送時の属性情報等に基づいて送出（以下、放送ともいう）する広告データを記憶する送出素材ＤＢ１０ａおよび放送時の属性情報を記憶する契約情報ＤＢ１０ｂを備えた放送局１０と、放送局１０から放送時の属性情報等を受信し、広告会社１２から広告データ、広告データ自身の属性情報等を受信し、これらの受信した情報を記憶するＣＭ送出ＤＢ１４ａ、および受信した広告データの放送スケジュールを記憶する送出スケジュールＤＢ１４ｂを備える営放システム１４と、ファイリング処理を行い、データベース化して広告データ等を記憶するＣＭバンク素材ＤＢ１６ａを備えたＣＭバンク素材ＤＢ管理システム１６と、受信した広告データ、この広告データ自身の属性情報、放送時の属性情報等に基づき、送出する放送形式への変換、送出された後に放送時の属性情報に基づいて正確に送出されたか否かの判別（確認）等を行う制御部２１、広告データ、放送時の属性情報、送出履歴情報等を記憶する記憶部２２、および送出する情報を送出所２８に送信するための通信部２３を備える広告データ変換管理装置２０と、広告データ変換管理装置２０から送信されたアナログ形式とデジタル形式の情報を受信して、それぞれ個別に送出を行う送出所２８とから少なくとも構成されている。なお、送出所２８は、放送局１０内にあってもよい。
【０００９】
また、放送局１０は、コンテンツデータを提供する事業者であれば、放送局に限定されず、有線ケーブルを用いたコンテンツデータ配信業者等であってもよく、広告会社１２は、放送局１０との契約の基づいて広告デーを扱う機関であればよい。
【００１０】
広告データ変換管理装置２０は、図２に示すように、受信した広告データ、広告データ自身の属性情報、放送時の属性情報等に基づき、所定の放送形式に変換する広告データ変換機能２１ａ、広告データ自身の属性情報に応じた広告データの特定、変換規則情報である変換テンプレート（変換テーブル）の読み出し等を行う情報特定機能２１ｂ、および放送履歴と放送時の属性情報とを比較することによって、属性情報通りに広告データが送出されたか否かを判別する情報比較確認機能２１ｃを備えた制御部２１と、広告データの変換規則情報である変換テンプレートを記憶する変換テンプレートＤＢ２２ａ、放送された広告データの履歴を記憶する放送履歴ＤＢ２２ｂ、放送時の属性情報通りに広告データが送出されたか否かを判別し、この結果を記憶する確認結果ＤＢ２２ｃ、および契約期間、放送時間帯等の放送時の属性情報等を記憶する契約情報ＤＢ２２ｄを備えた記憶部２２と、送出するデジタルデータである広告データ等を記憶するデータサーバＤＳ２４ａおよび記憶している広告データ等を送出するための送出部２４ｂを有したデジタル用マスターＡＰＣ２４、および送出するアナログデータである広告データ等を記憶するデータサーバＤＳ２５ａおよび記憶している広告データ等を送出するための送出部２５ｂを有したアナログ用マスターＡＰＣ２５を備えた通信部２３とから少なくとも構成されている。なお、通信部２３の構成は、例えば、ＤＳ２４ａと送出部２４ｂとが一体になっている構成でもよく、変換後の広告データ等を送出所２８に送信できる構成であればよい。
【００１１】
また、放送時の属性情報としては、図３に示すように、例えば、広告会社１２と放送局１０との間で取り決めが行われた契約の契約番号、キャンペーン番号、契約期間、放送する時間枠の情報である枠日付時刻、広告データ自身の識別コードである割付素材コード、アナログやデジタル１ＣＨ等の放送形式の情報の１つである枠サービス種別、ＨＤ（ハイビジョン形式）等の放送時の精細度の情報である送出精細度、１６：９等の放送時の画角の情報である送出画角、ステレオ、モノラル等の放送時の音声の情報である音声種別等が挙げられる。
【００１２】
次に、以上のような構成によって、実際の広告データが各種放送形式に変換され、放送される実施形態の一連の手順を図４のシーケンス図を用いて説明する。なお、本実施形態では、送出所２８は、放送局１０内にある場合について説明する。
【００１３】
広告会社１２は、ステップＳ１で、放送局１０と結んだ契約に基づいて作成した広告データを放送する際の属性情報（放送時の属性情報）を放送局１０に送信する。放送局１０は、ステップＳ２で、受信した放送時の属性情報を当該放送局１０の契約情報ＤＢ１０ｂに記憶し、ステップＳ３で、受信した放送時の属性情報を営放システム１４に送信する。営放システム１４は、ステップＳ４で、受信した放送時の属性情報を当該営放システム１４の送出スケジュールＤＢ１４ｂに記憶する。また、広告会社１２は、ステップＳ５で、放送するための広告データと、この広告データ自身の属性情報を営放システム１４に送信する。営放システム１４は、ステップＳ６で、受信した広告データと、この広告データ自身の属性情報を当該営放システム１４のＣＭ送出ＤＢ１４ａに記憶する。なお、営放システム１４が受信する放送時の属性情報、および広告データと広告データ自身の属性情報は、受信するタイミングは必ずしも決まっているものではなく、上述した逆の順序で受信する等、様々なタイミングで受信するようにすることができる。
【００１４】
営放システム１４は、ステップＳ７で、ＣＭ送出ＤＢ１４ａに記憶した広告データと、この広告データ自身の属性情報をＣＭバンク素材管理装置１６に送信する。ＣＭバンク素材管理装置１６は、ステップＳ８で、受信した広告データと、この広告データ自身の属性情報をファイリング処理を行い、ＣＭ素材ＤＢ１６ａに記憶する。ＣＭバンク素材管理装置１６は、ステップＳ９で、ＣＭ素材ＤＢ１６ａに記憶した受信した広告データと、この広告データ自身の属性情報を広告データ変換管理装置２０に送信する。放送局１０は、ステップＳ１０で、送出素材ＤＢ１０ａに記憶した放送時の属性情報を広告データ変換管理装置２０に送信する。なお、ステップＳ９とステップＳ１０は逆の順序であってもよい。広告データ変換管理装置２０の情報特定機能２１ｂは、受信した放送時の属性情報を契約情報ＤＢ２２ｄに記憶し、ステップＳ１１で、受信した広告データと、この広告データ自身の属性情報とを分離する。広告データ変換管理装置２０の情報特定機能２１ｂは、分離された広告データ自身の属性情報と、契約情報ＤＢ２２ｄに記憶した放送時の属性情報とを比較し、受信した広告データを放送時の属性情報に基づいて変換するための変換テンプレートを変換テンプレートＤＢ２２ａから読み出す。この変換テンプレートは、例えば、図６に示すように、広告データ（ＣＭ素材）の形式（広告データ自身の属性情報）が、画角１６：９であり、これを４：３に変換する場合には、変換後の形式（放送時の属性情報）が、ＨＤ放送、ＳＤ放送、１セグ放送、アナログ放送であれば、変換することができる。また、広告データの精細度の形式を変更する場合には、ＨＤ放送のものをＳＤ放送の精細度に変換、ＨＤ放送のものをＳＤ（コンポジット）放送の精細度に変換、ＳＤ（コンポーネント）放送のものをＨＤ放送の精細度に変換することができる。さらに、広告データの音声データの形式を変換する場合には、ステレオ形式のものをモノラル形式に変換、５．１ｃｈ形式のものをステレオ形式に変換、５．１ｃｈ形式のものをモノラル形式に変換することができる。なお、上述した変換テンプレートは、様々な設定をすることにより、上述した以外の様々な変換を行うことが出来る。また、変換された広告データの放送時の属性情報には、送出時に用いられる送出素材管理コードが新たに付加される。
【００１５】
次に、図５に示すように、広告データ変換管理装置２０の通信部２３は、ステップＳ１２で、変換された広告データおよび広告データ自身の属性情報の内、デジタル放送用データをデータサーバＤＳ２４ａに記憶し、アナログ放送用データをデータサーバＤＳ２５ａに記憶する。広告データ変換管理装置２０の通信部２３は、ステップＳ１３で、ＤＳ２４ａまたはＤＳ２５ａに記憶された広告データおよび広告データ自身の属性情報を送出部２４ｂ、または送出部２５ｂから送出所２８（ここでは、放送局１０）に送信する。広告データおよび広告データ自身の属性情報を受信した放送局１０は、ステップＳ１４で、自身の送出素材ＤＢ１０ａにこれらのデータを記憶する。広告データ変換管理装置２０の通信部２３は、ステップＳ１５で、送出素材管理コードを含む放送時の属性情報を営放システム１４に送信する。なお、ステップＳ１３とステップＳ１５とは逆の順序であってもよい。送出素材管理コードを含む放送時の属性情報を受信した営放システム１４は、ステップＳ１６で、自身の送出スケジュールＤＢ１４ｂにこれらのデータを記憶する。営放システム１４は、ステップＳ１７で、送出スケジュールＤＢ１４ｂに記憶された放送時の属性情報に基づいて、送出素材管理コードを含む放送時の属性情報を放送局１０に送信する。送出素材管理コードを含む放送時の属性情報を受信した放送局１０は、ステップＳ１８で、受信した放送時の属性情報に応じた広告データを自身の送出スケジュールＤＢ１４ｂから読み出し、放送する。
【００１６】
放送局１０は、ステップＳ１９で、放送された広告データの放送時の属性情報に基づいて放送履歴情報を広告データ変換管理装置２０に送信する。放送履歴情報を受信した広告データ変換管理装置２０は、ステップＳ２０で、受信した放送履歴情報を記憶部２２の放送履歴ＤＢ２２ｂに記憶する。
【００１７】
次に、図７は、この発明に係わる広告データ変換管理方法を適用した広告データ変換管理システムが、放送された広告データが放送時の属性情報に基づいて正確に放送されたか否かを確認する実施形態の一連の処理を示すフローチャートである。
【００１８】
広告データ変換管理装置２０の情報比較確認機能２１ｃは、ステップＳ３０で、記憶部２２の放送履歴ＤＢ２２ｂから放送履歴情報を読み出し、契約情報ＤＢ２２ｄから契約情報を読み出す。広告データ変換管理装置２０の情報比較確認機能２１ｃは、ステップＳ３２で、読み出された放送履歴情報と契約情報とを比較する。この比較処理では、例えば、契約情報（放送時の属性情報）での放送時間帯（枠日付時刻）に放送されているか、送出精細度等が指定の形式で放送されているか等を確認する。広告データ変換管理装置２０の情報比較確認機能２１ｃは、ステップＳ３４で、確認された内容、例えば、「契約情報に従ってすべて正常に放送された」等の情報を記憶部２２の確認結果ＤＢ２２ｃに記憶する。広告データ変換管理装置２０の情報比較確認機能２１ｃは、ステップＳ３６で、予め広告会社１２と取り決めされている広告取引データ等のＣＭ放送確認データを広告会社１２に送信する。なお、ＣＭ放送確認データの送信先は、広告会社１２以外の任意の送信先でもよい。
【００１９】
以上のような構成とすることで、広告データ変換管理装置を用いてファイリング処理の複数形式の放送形態への変換を自動化することにより、１つのＣＭバンクシステムで複数の放送形態に容易に対応することができる。
【００２０】
なお、この発明は、上記実施形態そのままに限定されるものではなく、実施段階ではその要旨を逸脱しない範囲で構成要素を変形して具体化できる。また、上記実施形態に開示されている複数の構成要素の適宜な組み合せにより種々の発明を形成できる。例えば、実施形態に示される全構成要素から幾つかの構成要素を削除してもよい。更に、異なる実施形態に亘る構成要素を適宜組み合せてもよい。
【００２１】
【発明の効果】
以上詳述したようにこの発明では、放送時の条件情報である属性データが付加された広告データが受信され、受信された広告データが記憶される。そして、記憶された広告データが読み出され、この広告データに付加されている属性データに基づいて当該広告データが所定の形式に変換され、変換された広告データが放送される。
【００２２】
したがってこの発明によれば、広告データのファイリング処理の複数形式の放送形態への変換を自動化することにより、１つのＣＭバンクシステムで複数の放送形態に容易に対応することができる広告データ変換管理装置、広告データ変換管理方法を提供することができる。
【図面の簡単な説明】
【図１】この発明に係わる一実施形態の広告データ変換管理方法を適用した広告データ変換管理システムの一実施の形態を示す系統構成図。
【図２】図１の広告データ変換管理装置の機能ブロック図。
【図３】放送時の属性情報の一例を示した模式図。
【図４】この発明に係わる一実施形態の広告データが各種放送形式に変換され放送される一連の手順を示したシーケンス図。
【図５】この発明に係わる一実施形態の広告データが各種放送形式に変換され放送される一連の手順を示したシーケンス図。
【図６】この発明に係わる一実施形態の変換テンプレートの一例を示した模式図。
【図７】この発明に係わる一実施形態の広告データ変換管理方法を適用した広告データ変換管理システムが、放送された広告データが放送時の属性情報に基づいて正確に放送されたか否かを確認する実施形態の一連の処理を示すフローチャート。
【符号の説明】
１０…放送局、１２…広告会社、１４…営放システム、１６…ＣＭバンク素材管理装置、２８…送出所
【図１】
2005064621.tif 000003
【図２】
2005064621.tif 000004
【図３】
2005064621.tif 000005
【図４】
2005064621.tif 000006
【図５】
2005064621.tif 000007
【図６】
2005064621.tif 000008
【図７】
2005064621.tif 000009